(57)【特許請求の範囲】
【請求項１】
現金支払の決済処理を実行する決済装置であって、
一取引毎の請求金額を算出する算出手段と、
前記算出された請求金額に応じて、紙幣の最低金種の最大桁数より小さい桁数の予想預り金額を決定する決定手段と、
前記紙幣の金種別の金額をそれぞれ示す複数の選択アイコンと、前記決定手段で決定された金額を示す１または複数の桁数別に配列した選択アイコンとを含む預り金額入力画面を表示装置に表示する表示手段と、
前記預り金額入力画面に含まれる１または複数の前記選択アイコンの選択操作により、預り金額を入力する預り金額入力手段と、
を有する決済装置。
【請求項２】
キーボードを更に有し、
前記預り金額入力手段は、前記キーボードのテンキー操作及び前記預り金額入力画面の選択アイコンの選択操作に応じて預り金額を入力する、請求項１に記載の決済装置。
【請求項３】
前記決定手段は、前記請求金額の桁数のうち、前記紙幣の最低金種の最大桁数より小さい桁数、の値に基づいて予想預り金額を決定する、請求項１または２に記載の決済装置。
【請求項４】
前記表示手段は、前記請求金額を示す選択アイコンを表示する、請求項１〜３のいずれか一項に記載の決済装置。
【請求項５】
現金支払の決済処理を実行する決済装置に実装されるコンピュータを、
一取引毎の請求金額を算出する算出手段と、
前記算出された請求金額に応じて、紙幣の最低金種の最大桁数より小さい桁数の予想預り金額を決定する決定手段と、
前記紙幣の金種別の金額をそれぞれ示す複数の選択アイコンと、前記決定手段で決定された金額を示す１または複数の桁数別に配列した選択アイコンとを含む預り金額入力画面を表示装置に表示する表示手段と、
前記預り金額入力画面に含まれる１または複数の前記選択アイコンの選択操作により、預り金額を入力する預り金額入力手段と、
して機能させるプログラム。
【発明の詳細な説明】
【技術分野】
【０００１】
本発明の実施形態は、決済装置及びプログラムに関する。
【背景技術】
【０００２】
従来、商品の登録処理及び決済処理を実行するＰＯＳ（Ｐｏｉｎｔ  Ｏｆ  Ｓａｌｅｓ  Ｓｙｓｔｅｍ）端末が一般的に良く知られている。
【発明の概要】
【発明が解決しようとする課題】
【０００３】
しかしながら、従来のＰＯＳ端末にあっては、預り金額の入力操作が煩雑であるなどの不都合があった。
【課題を解決するための手段】
【０００４】
実施形態の決済装置は、現金支払の決済処理を実行する。また、決済装置は、算出手段と、決定手段と、表示手段と、預り金額入力手段と、を有する。算出手段は、一取引毎の請求金額を算出する。決定手段は、前記算出された請求金額に応じて、紙幣の最低金種の最大桁数より小さい桁数の予想預り金額を決定する。表示手段は、前記紙幣の金種別の金額をそれぞれ示す複数の桁数別に配列した選択アイコンと、前記決定手段で決定された金額を示す１または複数の選択アイコンとを含む預り金額入力画面を表示装置に表示する。預り金額入力手段は、前記預り金額入力画面に含まれる１または複数の前記選択アイコンの選択操作により、預り金額を入力する。
【図面の簡単な説明】
【０００５】
【図１】図１は、本実施形態に係るＰＯＳ端末の概略構成を説明するための概要図である。
【図２】図２は、ＰＯＳ端末のハードウェア構成を説明するためのブロック図である。
【図３】図３は、店員用のディスプレイに表示される画面の一構成例を説明するための図である。
【図４】図４は、店員用のディスプレイに表示される画面の一構成例を説明するための図である。
【図５】図５は、ＰＯＳ端末における機能的構成を説明するためのブロック図である。
【図６】図６は、ＰＯＳ端末で実行される処理の流れを説明するためのフローチャートである。
【図７】図７は、図６のステップＳ２における店員用画面の表示処理の詳細な処理の流れを説明するためのフローチャートである。
【発明を実施するための形態】
【０００６】
以下、本発明の実施形態について添付図面を参照して説明する。
【０００７】
なお、以下では、本実施形態の決済装置として、コンビニエンスストアなどの店舗の決済カウンタに設置され、商品の登録処理及び決済処理を実行するＰＯＳ端末であり、現金支払による決済処理を実行するＰＯＳ端末に適用した場合について説明する。
【０００８】
図１は、本実施形態に係るＰＯＳ端末１の概略構成を説明するための概要図である。
【０００９】
図１に示すように、このＰＯＳ端末１は、店舗の決済カウンタに設置されたドロワ２の上面に載置されており、本体ハウジング（筐体）１０の上面に、キーボード１１、店員用のディスプレイ１２、客用のディスプレイ１３、レシート発行口１４などを備えているとともに、通信ケーブルＣを介して手持ち式のスキャナ装置３とデータ通信可能に接続されている。また、このＰＯＳ端末１は、本体ハウジング１０の内部に、取引単位のレシート及びジャーナルを印字発行するプリンタ１５（図２参照）を備えている。
【００１０】
なお、店員用のディスプレイ１２及び客用のディスプレイ１３は、表示面上にマルチタイプのタッチパネルが積層配置されたタッチパネル式のディスプレイである。
【００１１】
図２は、ＰＯＳ端末１のハードウェア構成を説明するためのブロック図であり、特に、本体ハウジング１０内のハードウェア構成を示している。
【００１２】
図２に示すように、このＰＯＳ端末１は、本体ハウジング１０内に、ＣＰＵ（Ｃｅｎｔｒａｌ  Ｐｒｏｃｅｓｓｉｎｇ  Ｕｎｉｔ）１６と、このＣＰＵ１６とバスラインＢＬを介して接続されるＲＯＭ（Ｒｅａｄ  Ｏｎｌｙ  Ｍｅｍｏｒｙ）１７、ＲＡＭ（Ｒａｎｄｏｍ  Ａｃｃｅｓｓ  Ｍｅｍｏｒｙ）１８、時計部１９、通信Ｉ／Ｆ２０、ＬＡＮＩ／Ｆ２１、キーボードコントローラ２２、第１表示／入力コントローラ２３、第２表示／入力コントローラ２４、プリンタコントローラ２５、音声処理部２６及びＩ／Ｏ（Ｉｎｐｕｔ／Ｏｕｔｐｕｔ）ポート２７と、電力供給部２８などを備えている。
【００１３】
ここで、ＣＰＵ１６は、ＰＯＳ端末１全体の制御、即ち、各種演算や各構成要素部に対する各種処理を制御する。また、ＲＯＭ１７は、ＰＯＳ端末１における各種処理（後述の図６、図７に示す処理など）を実行するための処理プログラムＰやその処理プログラムＰで用いる画像データや、売上ファイルＦ１などの各種ファイルを記憶する。また、ＲＡＭ１８は、入力データや表示データなどの作業中のデータを一時的に記憶したり、ＰＯＳ端末１の起動時にＲＯＭ１７から読み出された制御プログラムや売上ファイルＦ１などを一時的に記憶したりする。
【００１４】
時計部１９は、現在の日時を計時するとともに、特定の時刻からの計時を行う。
【００１５】
通信Ｉ／Ｆ（インタフェース）２０は、通信ケーブルＣを介して接続されたスキャナ装置３と商品コードなどの各種データを送受信する。また、ＬＡＮＩ／Ｆ（インタフェース）２１は、ＬＡＮなどの内部ネットワーク（不図示）を介して接続されたストアサーバ（不図示）と商品コードに対応した商品情報（商品名や単価）などの各種データを送受信する。
【００１６】
キーボードコントローラ２２は、キーボード１１の各種操作キー毎に対応したキー信号を入力し、その入力したキー信号をＣＰＵ１６に出力する。また、第１表示／入力コントローラ２３は、店員用のディスプレイ１２の画面表示を制御するとともに、タッチパネルからのタッチ信号を入力し、その入力したタッチ信号をＣＰＵ１６に出力する。また、第２表示／入力コントローラ２４は、客用のディスプレイ１３の画面表示を制御するとともに、タッチパネルからのタッチ信号を入力し、その入力したタッチ信号をＣＰＵ１６に出力する。また、プリンタコントローラ２５は、プリンタ１５のレシートやジャーナルの印字を制御する。
【００１７】
音声処理部２６は、スピーカ２９から警告音などの各種音を鳴動させる。
【００１８】
Ｉ／Ｏポート２７は、決済時にドロワ２に引き出しの開放を命令する開放信号を出力する。なお、前記信号を受信したドロワ２は、貨幣を収納する引き出し（不図示）を開放する。
【００１９】
電力供給部２８は、コンセントなどの商用電源にプラグなどの差込み器具が接続されることで、商用電源からの電力を各負荷部に必要な電力に変換して供給する。
【００２０】
図３及び図４は、店員用のディスプレイ１２に表示され、預り金額を入力する場合に店員により使用される預り金額入力画面Ｓ１の一構成例を説明するための図であり、図３が、一取引毎に客に対して請求する支払合計金額（請求金額）が「４３８円」の場合を示し、図４が、支払合計金額（請求金額）が「４６２円」の場合を示している。
【００２１】
図３及び図４に示す預り金額入力画面Ｓ１は、一取引で客に請求する支払合計金額（請求金額）を表示する第１の表示領域Ｉ１と、その第１の表示領域Ｉ１に表示された支払合計金額（請求金額）に対応して客が店員に預ける可能性がある予想預り金額を構成する金額候補を示す複数の金額ボタン（選択アイコン）を表示する第２の表示領域Ｉ２とを表示する。
【００２２】
ここで、第２の表示領域Ｉ２は、紙幣の金種（１００００円札、５０００円札、２０００円札及び１０００円札）を示す複数（日本紙幣の場合は４つ）の金額ボタン（選択アイコン）を表示する札金種表示領域Ｉ３と、後述の図７の処理手順により決定された金額ボタンを表示する中間桁表示領域Ｉ４とを含んでいる。
【００２３】
より具体的には、中間桁表示領域Ｉ４は、第１の表示領域Ｉ１に表示された支払合計金額（請求金額）の桁数のうち、紙幣の最低金種（１０００円）の最大桁数（４桁）より小さい桁数（３桁及び２桁）の値に基づいて決定される金額を示す金額ボタンを表示する。
【００２４】
なお、中間桁表示領域Ｉ４の表示態様としては、店員による検索の容易性を考慮して、複数の金額ボタンを桁数（３桁、２桁）別に配列して表示するのが好ましい。
【００２５】
図５は、ＰＯＳ端末１における機能的構成を説明するためのブロック図である。
【００２６】
図５に示すように、本実施形態では、後述の図６及び図７の処理を実行するための機能的構成として、一取引毎の商品登録処理を制御する商品登録制御部１１０と、一取引毎の決済処理を制御する決済制御部１２０と、一取引毎のレシートの印字発行を制御するレシート発行制御部１３０とを有している。
【００２７】
また、決済制御部１２０は、会計処理部１２１、予想預り金額候補決定部１２２、店員用画面表示部１２３、客用画面表示部１２４及び預り金額入力部１２５を有している。
【００２８】
ここで、会計処理部１２１は、決済処理を実行するものであり、一取引、即ち、店員による商品登録の開始の宣言操作が行われ、スキャナ装置３による商品の登録処理が行われ、キーボード１１の支払合計金額（請求金額）の算出／表示を指示するキー操作（小計キーの押下操作など）がされる度に、支払合計金額（請求金額）情報を算出する請求金額算出部１２１ａと、その請求金額算出部１２１ａで算出された支払合計金額情報と、後述の預り金額入力部１２５で入力処理されて確定された預り金額情報とから、客に支払う釣銭額を算出する釣銭処理部１２１ｂとを有している。
【００２９】
予想預り金額候補決定部１２２は、一取引毎の支払合計金額（請求金額）に応じて、予想預り金額候補、即ち、預り金額入力画面Ｓ１の中間桁表示領域Ｉ２に表示される金額ボタンで示される金額候補を決定するものであり、後述の図７の処理手順により決定する。
【００３０】
店員用画面表示部１２３は、店員用のディスプレイ１２に、店員用の画面（例えば、図３及び図４で示した預り金額入力画面Ｓ１など）を表示する。
【００３１】
客用画面表示部１２４は、客用のディスプレイ１３に、客用の画面（不図示）を表示する。
【００３２】
預り金額入力部１２５は、店員が客から預った預り金額の入力処理を実行する。具体的には、この預り金額入力部１２５は、預り金額入力画面Ｓ１において店員によりタッチ選択された１または複数の選択アイコンで特定される金額情報や、キーボード１１において店員により選択押下されたテンキー（不図示）で特定される金額情報や、それら両者の金額情報などに基づいて、預り金額の入力処理を実行する。
【００３３】
レシート発行制御部１３０は、決済制御部１２０から受取った決済情報に基づいてレシートＲをプリンタ１５で印字発行する。
【００３４】
なお、図５に示した各機能構成部（商品登録制御部１１０、決済制御部１２０及びレシート発行制御部１３０）は、ＣＰＵ１６がＲＯＭ１７などの記憶手段に記憶されているプログラムをＲＡＭ１８上に展開して実行することにより実現される。
【００３５】
次に、前記した構成のＰＯＳ端末１における処理動作について図６及び図７を用いて説明する。
【００３６】
なお、図６は、ＰＯＳ端末１で実行される処理の流れを説明するためのフローチャートであり、図７は、図６のステップＳ２における店員用画面の表示処理の詳細な処理の流れを説明するためのフローチャートである。
【００３７】
図６に示すように、ＰＯＳ端末１では、まず、ステップＳ１において、店員によるスキャナ装置３の読取操作により、客が決済カウンタに持ち込んだ商品のバーコードが読み取られることにより、商品登録制御部１１０が、一取引毎の商品登録処理、即ち、売上ファイルＦ１への登録処理を実行する。
【００３８】
続いて、ステップＳ２において、客用画面表示部１２４が、不図示の表示画面により支払合計金額（請求金額）を表示する処理を実行し、他方、予想預り金額候補決定部１２２及び店員用画面表示部１２３が、図３、図４に示した預り金額入力画面Ｓ１を用いて、支払合計金額（請求金額）及び予想預り金額候補を表示する処理（図７参照）を実行する。
【００３９】
即ち、このステップＳ２の予想預り金額の表示処理では、図７に示すように、まず、ステップＳ２０１〜ステップＳ２０４において、予想預り金額候補決定部１２２が、各紙幣の金種である金額（１０００円、２０００円、５０００円及び１００００円）をそれぞれ示す金額ボタンの情報を生成する。
【００４０】
続いて、ステップＳ２０５において、予想預り金額候補決定部１２２が、ステップＳ２で算出された支払合計金額（請求金額）を示す金額ボタン（例えば、支払合計金額が「４３８円」なら、「４３８円」の金額ボタン）の情報を生成する。
【００４１】
続いて、ステップＳ２０６において、予想預り金額候補決定部１２２が、支払合計金額（請求金額）が、１０円以上であるか否かを判定し、この判定の結果、１０円以上でないと判定された場合には（ステップＳ２０６：ＮＯ）、ステップＳ２１６の処理に移行して、店員用画面表示部１２３が、前段のステップＳ２０１〜ステップＳ２０５の処理で予想預り金額候補決定部１２２により生成された金額ボタンの情報に基づいて、預り金額入力画面Ｓ１（図３、図４参照）を店員用のディスプレイ１２に表示する。
【００４２】
例えば、ステップＳ２０６の判定結果が「ＮＯ」からのステップＳ２１６における処理では、店員用画面表示部１２３が、ステップＳ２０１〜ステップＳ２０５の処理で決定された金額ボタン（「１００００円札」金額ボタンと、「５０００円札」金額ボタンと、「２０００円札」金額ボタンと、「１０００円札」金額ボタンと、支払合計金額（請求金額）を示す金額ボタン（例えば、「４３８円」金額ボタン）を表示する預り金額入力画面Ｓ１を店員用のディスプレイ１２に表示する。
【００４３】
一方、ステップＳ２０６において、支払合計金額（請求金額）が、１０円以上であると判定された場合には（ステップＳ２０６：ＹＥＳ）、続いて、ステップＳ２０７において、予想預り金額候補決定部１２２が、支払合計金額（請求金額）の２桁の数字と同じ数字を示す金額ボタン（例えば、支払合計金額が「４３８円」なら、「３８円」の金額ボタン）の情報を生成する。
【００４４】
続いて、ステップＳ２０８において、支払合計金額の１桁が５円以内か否かを判定し、この判定の結果、５円以内であると判定されると（ステップＳ２０８：ＹＥＳ）、続いて、ステップＳ２０９において、予想預り金額候補決定部１２２が、２桁目が支払合計金額の２桁目となり、１桁目が「５円」となる金額ボタン（例えば、支払合計金額が「４３８円」なら、「３５円」金額ボタン）の情報を生成する。
【００４５】
続いて、ステップＳ２１０において、予想預り金額候補決定部１２２が、２桁目が支払合計金額の２桁目にプラス「１」したものとなり、１桁目が「０」となる金額ボタン（例えば、支払合計金額が「４３８円」なら、「４０円」金額ボタン）の情報を生成する。
【００４６】
続いて、ステップＳ２１１において、予想預り金額候補決定部１２２が、支払合計金額の２桁目が５０円以内か否かを判定し、この判定の結果、２桁目が５０円以内であると判定した場合（ステップＳ２１１：ＹＥＳ）、続いて、ステップＳ２１２において、予想預り金額候補決定部１２２が、「５０円」金額ボタンの情報を生成する。
【００４７】
続いて、ステップＳ２１３において、予想預り金額候補決定部１２２が、２桁目が、５０円の５となり、１桁目が、支払合計金額の１桁目と同じ数字となる金額ボタン（例えば、支払合計金額が「４３８円」なら、「５８円」金額ボタン）の情報を生成する。
【００４８】
続いて、ステップＳ２１４において、予想預り金額候補決定部１２２が、支払合計金額の３桁が５００円以内であるか否かを判定し、この判定の結果、５００円以内であると判定された場合（ステップＳ２１４：ＹＥＳ）、続いて、ステップＳ２１５において、予想預り金額候補決定部１２２が、「５００円」金額ボタンの情報を生成し、その後、処理を前記したステップＳ２１６に移行し、以下同様の処理を行う。
【００４９】
即ち、ステップＳ２１５からのステップＳ２１６における処理では、店員用画面表示部１２３が、ステップＳ２０１〜ステップＳ２１５、及び、後述のステップＳ２１６〜ステップＳ２１９の処理で生成された金額ボタンの情報に基づいて預り金額入力画面Ｓ１（図３、図４参照）を店員用のディスプレイ１２に表示する。
【００５０】
例えば、支払合計金額が「４３８円」なら、店員用画面表示部１２３は、図３に示すように、「１００００円札」、「５０００円札」、「２０００円札」、「１０００円札」などの各紙幣の金種を示す金額ボタンと、「５００円」、「４３８円」、「５８円」、「５０円」、「４３円」、「４０円」、「３８円」などの中間桁の金額を示す金額ボタンとを表示する預り金額入力画面Ｓ１を表示する。
【００５１】
一方、ステップＳ２０８の判定の結果、５円以内でないと判定されると（ステップＳ２０８：ＮＯ）、続いて、ステップＳ２１７において、予想預り金額候補決定部１２２が、前記したステップＳ２１０の処理と同様の処理を行って、金額ボタンの情報を生成する。
【００５２】
続いて、ステップＳ２１８において、予想預り金額候補決定部１２２が、支払合計金額の２桁の数字に、「５」をプラスした金額ボタン（例えば、支払合計金額が「４３８円」なら、３８＋５で、「４３円」金額ボタン）の情報を生成し、その後、処理を前記したステップＳ２１１の処理に移行し、以下同様の処理を行う。
【００５３】
また、一方、ステップＳ２１１の判定の結果、２桁目が５０円以内でないと判定した場合（ステップＳ２１１：ＮＯ）、続いて、ステップＳ２１９において、予想預り金額候補決定部１２２が、前記したステップＳ２１０及びステップＳ２１７の処理と同様の処理を行って、金額ボタンの情報を生成する。
【００５４】
続いて、ステップＳ２２０において、予想預り金額候補決定部１２２が、前記したステップＳ２１８の処理と同様の処理を行って、金額ボタンの情報を生成し、その後、処理を前記したステップＳ２１４の処理に移行し、以下同様の処理を行う。
【００５５】
図６に戻って、続いて、ステップＳ３において、預り金額入力部１２５が、預り金額の入力処理を実行するとともに、会計処理部１２１が決済処理を実行する。
【００５６】
即ち、このステップＳ３の処理では、預り金額入力部１２５が、預り金額入力画面Ｓ１の第２の表示領域Ｉ２における複数の金額ボタンのいずれか一つのタッチ操作またはいずれか数個の連続タッチ操作や、キーボード１１のテンキー（不図示）の押下操作や、それら両操作の組合せ操作などと、その操作に続いたキーボード１１における預り金額の入力を確定させるための確定キー（不図示）の押下操作に応じて、預り金額情報の入力確定処理を実行し、会計処理部１２１の釣銭処理部１２１ｂが、請求金額算出部１２１ａで算出した支払合計金額情報と、預り金額入力部１２５で確定した預り金額情報とから、釣銭額を算出して決済処理を実行する。
【００５７】
なお、ここで、ステップＳ３の具体的な処理例として、例えば、支払合計金額（請求金額）が、「４３８円」で、客が店員に「１０３８円」分の現金を預けた場合に、店員が、預り金額入力画面Ｓ１を用いて、札金種表示領域Ｉ３に含まれる「１０００円札」の金額ボタンと、第２の表示領域Ｉ２に含まれる「３８円」の金額ボタンをタッチ操作して、前記確定キーを押下操作したとすると、預り金額入力部１２５が、「１０００円札」金額ボタンで特定される金額情報「１０００」と、「３８円」金額ボタンで特定される金額情報「３８」とを加算した「１０３８」を預り金額情報として確定する。そして、会計処理部１２１の釣銭処理部１２１ｂが、預り金額入力部１２５で確定した預り金額の値「１０３８」から、支払合計金額の値「４３８」を差し引いた値「６００」を釣銭額として算出する。
【００５８】
また、ステップＳ３のその他の処理例として、例えば、支払合計金額（請求金額）が、「４３８円」で、客が店員に「１００８円」分の現金を預けた場合に、店員が、預り金額入力画面Ｓ１を用いて、札金種表示領域Ｉ３に含まれる「１０００円札」の金額ボタンと、キーボード１１のテンキー内の「８」キーを押下操作して、前記確定キーを押下操作したとすると、預り金額入力部１２５が、「１０００円札」金額ボタンで特定される金額情報「１０００」と、「８」キーで特定される金額情報「８」とを加算した「１００８」を預り金額情報として確定する。そして、会計処理部１２１の釣銭処理部１２１ｂが、預り金額入力部１２５で確定した預り金額の値「１００８」から、支払合計金額の値「４３８」を差し引いた値「５７０」を釣銭額として算出する。
【００５９】
続いて、ステップＳ４において、店員用画面表示部１２３及び客用画面表示部１２４が、釣銭処理部１２１ｂで算出された釣銭金額情報を表示する表示画面（不図示）を、それぞれ対応するディスプレイ（店員用のディスプレイ１２、客用のディスプレイ１３）に表示するとともに、ステップＳ５において、釣銭処理部１２１ｂが、ドロワ２に対して開放信号を出力してドロワ２の引き出しを開放させる。これにより、店員が引き出し内に収容されている貨幣を使用して客に釣銭を支払う。
【００６０】
続いて、ステップＳ６において、レシート発行制御部１３０が、店舗名、客が購入した商品名、支払合計金額、預り金額、釣り金額などを印字した領収書として機能するレシートを、プリンタ１５を用いて発行し、ここでの処理を終了する。
【００６１】
以上説明した実施形態によれば、店員の預り金額の入力操作を簡単化できるとともに、預り金額の入力ミスを防ぐことができる。
【００６２】
より具体的には、前記した図７の処理手順により、預り金額入力画面Ｓ１に表示する預り金額を構成する金額ボタン（選択アイコン）の表示数を絞ることができるので、店員の検索作業を容易化し、店員の預り金額の入力操作を簡単化することができる。
【００６３】
以上、例示的な実施形態に基づいて説明したが、本実施形態は、前記した実施形態により限定されるものではない。
【００６４】
例えば、前記した実施形態では、図７に示す処理手順により、預り金額入力画面Ｓ１の第２の表示領域Ｉ２の中間桁表示領域Ｉ４に表示する金額ボタンを決定する形態について説明したが、これ以外の処理手順により中間桁表示領域Ｉ４に表示する金額ボタンを決定することも可能である。
【００６５】
即ち、本実施形態では、予想預り金額候補として、紙幣の金種別の金額をそれぞれ示す金額ボタンと、請求金額の桁数のうち、紙幣の最低金種（１０００円）の最大桁数（４桁）より小さい桁数（３桁及び２桁）の値に基づいて決定される予想預り金額を示す金額ボタンを表示する預り金額入力画面Ｓ１を店員用のディスプレイ１２に表示できれば良い。
【００６６】
また、前記した実施形態のＰＯＳ端末１で実行される各種プログラムＰは、ＲＯＭなどの記憶手段に予め組み込むように提供しても良いし、インストール可能な形式又は実行可能な形式のファイルでコンピュータで読み取り可能な記録媒体に記録して提供するように構成しても良いし、インターネットなどのネットワーク経由で提供又は配布するように構成しても良い。
【００６７】
その他、前記した実施形態における決済装置の外観、ハードウェア構成及びソフトウェア構成や、ディスプレイに表示される画面構成や、処理手順などは、単なる例として記載したものであり、本実施形態は、これらにより限定されない。
【符号の説明】
【００６８】
１  決済装置（ＰＯＳ端末）
１２  店員用のディスプレイ（店員用の表示装置）
１３  客用のディスプレイ（客用の表示装置）
１１０  商品登録制御部
１２０  決済制御部
１２１  会計処理部（値引き手段）
１２１ａ  請求金額算出部（算出手段）
１２２  予想預り金額候補決定部（決定手段）
１２３  店員用画面表示部（表示手段）
１２４  客用画面表示部
１２５  預り金額入力部（預り金額入力手段）
１３０  レシート発行制御部
【先行技術文献】
【特許文献】
【００６９】
【特許文献１】特開２００２−１３３５２４号公報
【図１】
0005312405.tif 000002
【図２】
0005312405.tif 000003
【図３】
0005312405.tif 000004
【図４】
0005312405.tif 000005
【図５】
0005312405.tif 000006
【図６】
0005312405.tif 000007
【図７】
0005312405.tif 000008